【手続補正書】
【提出日】平成16年3月4日(2004.3.4)
【手続補正１】
【補正対象書類名】明細書
【補正対象項目名】特許請求の範囲
【補正方法】変更
【補正の内容】
【特許請求の範囲】
【請求項１】
第１の基板の側に形成された第１の透明電極と第２の基板の側に形成された第２の透明電極との間で液晶層を挟持するとともに、前記第１および第２の透明電極が平面的にみて互いに重なる画素領域を構成してなり、前記第１の基板側から入射する光を反射する反射膜が前記第２の基板の前記液晶層側の面に形成され、該反射膜の上には複数色の着色層の積層によって構成された遮光膜が備えられた液晶装置であって、
前記反射膜は前記着色層によって全面が覆われているとともに、前記遮光膜は前記画素領域に対応して複数色のうちいずれか一つの前記着色層が配置された開口領域を有してなり、該開口領域は前記画素領域の外側に広くなっていることを特徴とする液晶装置。
【請求項２】
前記遮光膜の前記開口領域は、前記画素領域に対し、当該画素領域の端部から前記第１および第２の透明電極間の距離の略半分までを限度として当該画素領域の外側に広くなっていることを特徴とする液晶装置。
【請求項３】
前記反射膜が、前記遮光膜の前記開口領域において前記画素電極の外側に広くなっている領域に対応した位置に配置されていることを特徴とする請求項１に記載の液晶装置。
【請求項４】
前記遮光膜の前記開口領域において、前記画素領域の外側に広くなっている領域は斜め電界によって液晶分子が駆動される領域であることを特徴とする請求項１乃至３のいずれか１項に記載の液晶装置。
【請求項５】
前記画素領域は矩形状の領域であり、前記遮光膜の前記開口領域は、前記画素領域に対して、前記液晶層における液晶分子のダイレクタ方向と直交する辺の一方では、長さｄ１だけ前記画素領域の内側に狭くなっており、それ以外の辺においては、長さｄ２だけ前記画素領域の外側に広くなっていることを特徴とする請求項１乃至４のいずれか１項に記載の液晶装置。
【請求項６】
前記遮光膜の前記開口領域において前記長さｄ２だけ前記画素領域の外側に広くなった領域は、斜め電界によって液晶分子が駆動される領域であり、
前記遮光膜の前記開口領域において前記長さｄ１だけ前記画素領域の内側に狭くなった領域は、斜め電界によって液晶分子が駆動されない領域であることを特徴とする請求項５に記載の液晶装置。
【請求項７】
前記画素領域の長さをＬ１で、前記画素領域の幅をＷ１で表し、
前記第１および前記第２の透明電極間の距離をｄで表したとき、
前記長さｄ１は、距離ｄと概ね同等以下の値であり、
前記長さｄ２は、距離ｄの概ね１／２以下の値であり、
前記遮光膜の開口領域の長さＬ２および幅Ｗ２は、それぞれ、
Ｌ１−２ｄ１≦Ｌ２≦Ｌ１＋２ｄ２
Ｗ１−２ｄ１≦Ｗ２≦Ｗ１＋２ｄ２
の範囲に収まることを特徴とする請求項４又は５のいずれかに記載の液晶装置。
【請求項８】
前記遮光膜の前記開口領域内にあって、前記反射膜に光を透過する第１の開口部を備えることを特徴とする請求項１乃至７のいずれか１項に記載の液晶装置。
【請求項９】
前記反射膜と第２の基板における前記液晶層側の面との間に第１の膜を、さらに備えることを特徴とする請求項１乃至８のいずれか１項に記載の液晶装置。
【請求項１０】
前記反射膜の表面を少なくとも覆う第２の膜を、さらに備えることを特徴とする請求項１乃至９のいずれか１項に記載の液晶装置。
【請求項１１】
請求項１乃至１０のいずれかに記載の液晶装置を備えることを特徴とする電子機器。
【手続補正２】
【補正対象書類名】明細書
【補正対象項目名】００１２
【補正方法】変更
【補正の内容】
【００１２】
【課題を解決するための手段】
上記目的を達成するために、本発明に係る液晶装置は、第１の基板の側に形成された第１の透明電極と第２の基板の側に形成された第２の透明電極との間で液晶層を挟持するとともに、前記第１および第２の透明電極が平面的にみて互いに重なる画素領域を構成してなり、前記第１の基板側から入射する光を反射する反射膜が前記第２の基板の前記液晶層側の面に形成され、該反射膜の上には複数色の着色層の積層によって構成された遮光膜が備えられた液晶装置であって、前記反射膜は前記着色層によって全面が覆われているとともに、前記遮光膜は前記画素領域に対応して複数色のうちいずれか一つの前記着色層が配置された開口領域を有してなり、該開口領域は前記画素領域の外側に広くなっていることを特徴とする。
また、本発明に係る液晶装置は、前記遮光膜の前記開口領域は、前記画素領域に対し、当該画素領域の端部から前記第１および第２の透明電極間の距離の略半分までを限度として当該画素領域の外側に広くなっていることを特徴とする。
また、本発明に係る液晶装置は、前記反射膜が、前記遮光膜の前記開口領域において前記画素電極の外側に広くなっている領域に対応した位置に配置されていることを特徴とする。
また、本発明に係る液晶装置は、前記遮光膜の前記開口領域において、前記画素領域の外側に広くなっている領域は斜め電界によって液晶分子が駆動される領域であることを特徴とする。
また、本発明に係る液晶装置は、前記画素領域は矩形状の領域であり、前記遮光膜の前記開口領域は、前記画素領域に対して、前記液晶層における液晶分子のダイレクタ方向と直交する辺の一方では、長さｄ１だけ前記画素領域の内側に狭くなっており、それ以外の辺においては、長さｄ２だけ前記画素領域の外側に広くなっていることを特徴とする。
また、本発明に係る液晶装置は、前記遮光膜の前記開口領域において前記長さｄ２だけ前記画素領域の外側に広くなった領域は、斜め電界によって液晶分子が駆動される領域であり、前記遮光膜の前記開口領域において前記長さｄ１だけ前記画素領域の内側に狭くなった領域は、斜め電界によって液晶分子が駆動されない領域であることを特徴とする。
また、本発明に係る液晶装置は、前記画素領域の長さをＬ１で、前記画素領域の幅をＷ１で表し、前記第１および前記第２の透明電極間の距離をｄで表したとき、前記長さｄ１は、距離ｄと概ね同等以下の値であり、前記長さｄ２は、距離ｄの概ね１／２以下の値であり、前記遮光膜の開口領域の長さＬ２および幅Ｗ２は、それぞれ、
Ｌ１−２ｄ１≦Ｌ２≦Ｌ１＋２ｄ２
Ｗ１−２ｄ１≦Ｗ２≦Ｗ１＋２ｄ２
の範囲に収まることを特徴とする。
また、本発明に係る液晶装置は、前記遮光膜の前記開口領域内にあって、前記反射膜に光を透過する第１の開口部を備えることを特徴とする。
また、本発明に係る液晶装置は、前記反射膜と第２の基板における前記液晶層側の面との間に第１の膜を、さらに備えることを特徴とする。
また、本発明に係る液晶装置は、前記反射膜の表面を少なくとも覆う第２の膜を、さらに備えることを特徴とする。
また、本発明の電子機器は、上記いずれかに記載の液晶装置を備えることを特徴とする。


【手続補正３】
【補正対象書類名】明細書
【補正対象項目名】００１３
【補正方法】変更
【補正の内容】
【００１３】
この第１の発明によれば、液晶層は、同種の第１および第２の透明電極によって挟持されるので、液晶装置の表示品位や長期信頼性が低下することがない。また、反射膜上には、遮光膜および着色層が形成されるので、反射膜を露出させないようにすることができる。このため、液晶装置の製造工程において、反射膜が、薬液や、ガス、液晶層等にさらされないようにして、反射膜へのダメージを抑えることができる。


【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
この第１の発明によれば、遮光膜として別個の層を設ける必要がなくなるので、低コスト化を図ることが可能となる。一般的な反射型液晶装置の着色層は、透過型表示装置の着色層の濃度と比較して淡いので、２色以上の着色層を積層しても、その光学濃度は、１以下の場合があり、必要な光学濃度を得ることが困難である。これに対して、この構成では、反射型表示において光は、着色層が２色以上積層してなる遮光膜を２回通過するので、また、透過型表示において光は反射膜の第１の開口部によって規定されるので、淡い着色層を用いても充分な遮光性を得ることができる。例えば、Ｒ（赤）、Ｇ（緑）、Ｂ（青）の３色の着色層を有する場合、これら３色の着色層を積層した場合の光学濃度が０．７であれば、光が２回通過することによる実質的な光学濃度は約１．４となるので、一般的にコントラスト比が１：２５以下である反射型液晶装置では、実用上充分な遮光性を有することになる。